(57)【要約】【課題】専門知識を有することなく、短時間に簡単で確実であり、通信障害の発生し難いネットワークを構築することを可能とした無線ＬＡＮ接続設定システム及び設定方法を提供することを目的とする。【解決手段】基地局並びに複数の中継局を備えた無線ＬＡＮ接続設定システムにおいて、前記基地局には、少なくとも前記複数の中継局名称並びに前記複数の中継局の中継順番データを有する設定リストを備えたデータベースを具備することを特徴とする。【選択図】図１
2010273010.tif 000002
【特許請求の範囲】
【請求項１】
基地局並びに複数の中継局を備えた無線ＬＡＮ接続設定システムにおいて、前記基地局には、少なくとも前記複数の中継局名称並びに前記複数の中継局の中継順番データを有する設定リストを備えたデータベースを具備することを特徴とする無線ＬＡＮ接続設定システム。
【請求項２】
前記設定リストには、更に、前記複数の中継局に対応するＭＡＣアドレス、ＩＰアドレス、ＳＳＩＤ、無線チャンネル情報、暗号化情報並びに無線・有線併用可否情報が設けられていることを特徴とする請求項１記載の無線ＬＡＮ接続設定システム。
【請求項３】
前記中継局は、屋外に設けられていることを特徴とする請求項１又は２記載の無線ＬＡＮ接続設定システム。
【請求項４】
前記中継局は、屋内に設けられていることを特徴とする請求項１又は２記載の無線ＬＡＮ接続設定システム。
【請求項５】
前記請求項１乃至４記載の無線ＬＡＮ接続設定システムを用い、前記設定リストのパラメータを前記複数の中継局へ送信した後に、前記複数の中継局の配置を変更する際には、前記基地局のデータベースの前記設定リストの中継順番データを変更し、この変更された設定リストのパラメータを前記複数の中継局へ送信することを特徴とする無線ＬＡＮ接続設定方法。
【発明の詳細な説明】
【技術分野】
【０００１】
本発明は、基地局並びに複数の中継局を備えた無線ＬＡＮの接続設定方法及び設定方法に関する。
【背景技術】
【０００２】
一般的に近年さまざまな分野でＩＴ化が進み、大規模な場所で無線ＬＡＮによるネットワークを構築して、電子メールによる指示・連絡や各種のデータ管理が行えるようになっている。
【０００３】
工事現場や工場、イベント会場など、大規模な場所でネットワークを構築するには複数の中継局（リピータ）を用いて通信可能エリアを確保する必要がある。これには、管理者や無線ＬＡＮ接続サービス提供者から指定された情報を基に、ＳＳＩＤ・暗号化情報・中継設定などの種々な項目（パラメータ）を利用者が基地局や中継局に対して個別に設定を行う必要がある。
【０００４】
また、中継局を移動して通信エリアを変更する場合、利用者は変更に必要なパラメータを再度設定し直す必要がある。このとき、その設定方法はすべてパソコンのキーボードを使用して手動で行われていたため、時間がかかり、データの誤入力もたびたび引き起こしていた。
【０００５】
更に、無線ＬＡＮ機器の構成を変更した場合、基地局及び中継局に対してパラメータを変更する必要が生じ、管理者や利用者にとって設定作業は大きな負担となっている。これらの問題に対して特許文献１、２のような無線ＬＡＮの設定方法が開示されている。
【先行技術文献】
【特許文献】
【０００６】
【特許文献１】特開２００５−２８６７８３号公報
【特許文献２】特開２００６−３４５２０５号公報
【発明の概要】
【発明が解決しようとする課題】
【０００７】
上述した大規模な場所でのネットワーク構築には、無線及び有線ＬＡＮが併用されるが、機器に対し無線及び有線による中継の設定を確実に行わないと、通信経路に伝送ループが生じ、正常な通信が行えなくなるという問題が発生する可能性があった。
【０００８】
また、利用者自身が使用する無線ＬＡＮ機器に対し、十分な知識と操作方法をすべて熟知している状況が限られている。このため、誤った設定によりネットワークが通信不能に陥る恐れが発生する可能性があった。更に、特許文献１及び特許文献２には、無線ＬＡＮ機器の使用者側端末（クライアント）の設定しか開示されておらず、クライアント側の設定には変更がなく、基地局及び中継局側の設定変更が必要な場合の問題解決は示されていない。
【０００９】
本発明は、このような課題を解決するためになされたもので、専門知識を有することなく、短時間に簡単で確実であり、通信障害の発生し難いネットワークを構築することを可能とした無線ＬＡＮ接続設定システム及び設定方法を提供することを目的とする。
【課題を解決するための手段】
【００１０】
本発明の請求項１に係る無線ＬＡＮ接続設定システムは、基地局並びに複数の中継局を備えた無線ＬＡＮ接続設定システムにおいて、前記基地局には、少なくとも前記複数の中継局名称並びに前記複数の中継局の中継順番データを有する設定リストを備えたデータベースを具備することを特徴とする。
【００１１】
本発明の請求項２に係る無線ＬＡＮ接続設定システムは、前記設定リストには、更に、前記複数の中継局に対応するＭＡＣアドレス、ＩＰアドレス、ＳＳＩＤ、無線チャンネル情報、暗号化情報並びに無線・有線併用可否情報が設けられていることを特徴とする。
【００１２】
本発明の請求項３に係る無線ＬＡＮ接続設定システムは、前記中継局が、屋外に設けられていることを特徴とする。
【００１３】
本発明の請求項４に係る前記中継局が、屋外に設けられているシステムは、前記中継局が、屋内に設けられていることを特徴とする。
【００１４】
本発明の請求項５に係る無線ＬＡＮ接続設定方法は、前記請求項１乃至４記載の無線ＬＡＮ接続設定システムを用い、前記設定リストのパラメータを前記複数の中継局へ送信した後に、前記複数の中継局の配置を変更する際には、前記基地局のデータベースの前記設定リストの中継順番データを変更し、この変更された設定リストのパラメータを前記複数の中継局へ送信することを特徴とする。
【発明の効果】
【００１５】
無線ＬＡＮ接続設定を行うにあたり、利用者が自身が使用する無線ＬＡＮ機器に対する十分な知識と操作方法をすべて熟知していなくとも、誤った設定によりネットワークが通信不能に陥る恐れを排除し、管理者や利用者の負担を軽減し、かつ設定変更に要する時間短縮を図ることを可能とした。
【図面の簡単な説明】
【００１６】
【図１】本発明に係る実施形態を説明するための構成図。
【図２】本発明に係る実施形態の動作を説明するためのフローチャート図。
【図３】本発明に係る実施形態の初期設定パラメータを示す図。
【図４】本発明に係る実施形態の中継順番を示す図。
【図５】本発明に係る実施形態を屋内の中継局に適用した例を示す構成図。
【図６】本発明に係る実施形態の設定パラメータ変更状態を説明するための構成図。
【図７】本発明に係る実施形態の変更された設定パラメータを示す図。
【図８】本発明に係る実施形態の変更された中継順番を示す図。
【図９】本発明に係る実施形態の変更された設定パラメータを屋内の中継局に適用した例を示す構成図。
【発明を実施するための形態】
【００１７】
以下に本発明に係る実施形態を図を参照して説明する。図１は、工事現場におけるネットワーク構成を例に本発明に係る無線ＬＡＮ接続設定システムを説明する図である。図２は、図１のシステム構成の無線ＬＡＮ接続設定プロセスを示すフローチャートである。図３は、無線ＬＡＮ設定パラメータなどのデータ一覧を示す図である。図４は、基地局と各中継局間の通信中継順番を説明する図である。
【００１８】
図１に示すように、工事現場には現場事務所となる基地局１１と、資材置場である第1通信先１２並びに作業現場である第2通信先１３間に無線ＬＡＮを構築する構成が示してある。本来、基地局と遠隔にある通信先との間の距離が所定の距離を超えない位置にあり、基地局と通信先との間に電波送信を阻害する遮蔽物などがなければ、中継局を設けることなく各々の通信先と基地局間は通信可能となる。
【００１９】
しかしながら、図１の例にあっては、基地局１１と第1通信先１２間の距離が直接通信可能な距離より遠方にあるため、両者間に第１中継局１４を設置する必要がある。また、基地局１１と第２通信先１３間には、通信を阻害する建築物１５があるため、両者間に第２中継局１６を設置する必要がある。なお、第２通信先１３にはこの作業現場内の各種機器との間の送信のため、第３中継局１７が設置されている。なお、他の図において第１中継局を中継局１、第２中継局を中継局２、第３中継局を中継局３と表記してある。
【００２０】
さて、基地局１１は、基地局ルータ１８、無線電波を送受信する基地局アンテナ１９、基地局電話機２０、後述する第１、第２通信先１２、１３に設置されているカメラ２１、２２からの映像の観察や、無線ＬＡＮ接続設定作業を行うパソコン２３、必要に応じて設けられる無線電話機２４で構成されている。なお、パソコン２３並びに無線電話機２４の操作は作業監督者２５が行う。
【００２１】
このような構成によって、基地局ルータ１８が一般公衆回線へ接続されていれば、本社や支社店から、直接、資材置場である第１通信先１２や作業現場である第２通信先１３へ連絡・通信を行うことができる。また、基地局ルータ１８へ接続されているパソコン２３は、有線による接続でも無線による接続でも通信を行うことが可能であるが、パソコン２３がノート型で無線接続されている場合は、可搬性が増すことはいうまでもない。また、作業監督者２５が無線電話機２４を携帯することにより、基地局１１内に在席していない場合でも、第１通信先１２の作業者２６、第２通信先１３の作業者２７からの連絡に迅速に対応することが可能である。
【００２２】
第１中継局１４、第２中継局１６、第３中継局１７は、基地局１１から第１通信先１２、第２通信先１３までの経路上に適宜配置し、第１、第２通信先１２、１３の位置が変更になれば再度適宜配置される。
【００２３】
基地局１１から第１中継局１４へ送信された通信データ２８は、次の第２中継局１６、第３中継局１７へと順次中継送信され、第２通信先１３のパソコン２９、無線電話機３０へ送信される。また、第１中継局１４からの通信データは中継局を介することなく、第１通信先１２のパソコン３１へ送信される。
【００２４】
作業現場である第２通信先１３のパソコン２９は、基地局１１や本社・支社店からの指示を電子メールで受信したり、作業内容を図面や図示により確認するためなどに用いる。第１、第２通信先１２、１３のカメラ２１、２２は、資材３２や溶接などの作業現場３３の状況確認用や作業内容の監督、資材盗難防止などのために画像を撮像するために設置されている。無線電話機２４、３０は、作業者２６、２７が不具合を発見した場合に、作業監督者２５から指示を受ける際や事故発生時の緊急連絡などに用いる。基地局１１から第１〜第３中継局１４、１６、１７への通信データ２８の送信方法は、無線ＬＡＮや有線ＬＡＮ、ＰＬＣ（電力線搬送通信）などさまざまな形態をとることができる。
【００２５】
さて、上述したような無線ＬＡＮを構築するに際し、基地局１１のパソコン２３のデータベースとしてネットワーク構築に必要なパラメータを図３に示した設定リスト３４を形成し、このリストを基地局１１のパソコン２３に搭載する。
【００２６】
設定リスト３４には、図に示すように、機器名称として基地局、第１〜第３中継局毎に基地局ルータ１８を起点として中継順番、機器名称、ＭＡＣアドレス、ＩＰアドレス、ＳＳＩＤ、無線チャンネル、暗号化情報、無線・有線併用可否の各パラメータが設定される。すなわち、中継順番としては、基地局１１を１番として、２番に第１中継局１４、３番に第２中継局１６、４番に第３中継局１７の順にデータが送信されることになる。
【００２７】
このような設定リスト３４を利用して、無線ＬＡＮ接続設定を行うが、図２を参照して説明する。先ずステップ１に示すように使用する中継局の台数を決定する。すでに上述したが、ステップ２に示すように図３の設定リストの内容を初期パラメータとして基地局１１のパソコン２３に入力し、設定パラメータデータベースを構成する。
【００２８】
その後、ステップ３に示すように第１中継局１４、第２中継局１６、第３中継局１７の電源を投入し、これらの中継局へ、基地局１１のパソコン２３から設定リスト３４の設定パラメータを初期情報として一斉送信する。この結果、各中継局毎に設定パラメータをインストールすることなく一斉に設定がなされる。引き続きステップ４では、予め検討済みの機器設置場所へ、基地局ルータ１８及び第１〜第３中継局１４、１６、１７を設置し、運用を開始する。図４には、基地局１１に設置した基地局ルータ１８より、第１〜第３中継局１４、１６、１７へ順番に無線及び有線通信により中継通信を行う状態を示してある。
【００２９】
上述では、第１、第２中継局１４、１６は屋外に設置することを前提に説明したが、屋外のみに適用されるものではなく、図５に示すように、上記設定リスト３４と同一条件のパラメータを用いて第１〜第３中継局１４、１６、１７を建屋３５内に設置する場合にも適用される。この例では、各中継局は異なる階に設置するようにしてある。
【００３０】
さて、上述したような工事現場内の建屋配置やその他環境の変動によって、図１に示した通信が困難になり、各中継局の設置位置の変更並びに中継順番の変更を必要とする事態への対応について説明する。
【００３１】
図６に示すように、基地局１１と第１中継局１４間に新たに通信障害を引き起こす建築物３６が建設された結果、基地局１１と第１中継局１４間の通信経路は×印で示すように通信不能となる。そこで、図６に示すように基地局１１→第２中継局１６→第３中継局１７→第１中継局１４の順番でネットワークを構築することとした。
【００３２】
このような変更に設定を対応させるためには、基地局１１のパソコン２３に搭載されている図３に示す設定リスト３４の内容を、図７の設定リスト３７のように変更して基地局１１のパソコン２３のデータベースの内容を変更する。すなわち、図７に示すように、基地局を起点する中継順番を変更する内容となる。
【００３３】
この結果、図２に示すようにステップ５にて中継局の設置変更の検討の後、ステップ６に示すように、図７の設定リスト３７の変更情報を基地局１１のパソコン２３のデータベースに再構成する。そして、ステップ７に示すように、この新たな設定パラメータを基地局１１の基地局ルータ１８から各中継局へ一斉送信し、これによりステップ８のように各中継局を再配置するとともに再設定が完了する。
【００３４】
なお、新たな設定パラメータによる再構築時に変更となる中継順番を変更することにより、基地局ルータ１８を起点とした表示順番が自動的にソートされる。また、有線通信併用可否や無線チャンネルの設定に誤りがある場合は、基地局１１のパソコン２３内部の演算処理により、「無線チャンネルの設定が正しくありません！」などの警告を表示させ、注意喚起することもできる。
【００３５】
図８は、図７の新たな設定リスト３７に基づく通信中継順番の状態を示した図で、中継局２が中継順番２となり、中継局３が中継順番３となり、中継局１が中継順番４となる。図９は、各中継局を屋内に設置した図５の例を設定リスト３７の内容に基づき再構築した状態を図示したものである。
【００３６】
本発明によれば、ネットワーク運用前に初期情報を設定リストによってデータベース化しておくことにより、運用開始後に中継局設置場所の状況が変化し、移設の必要が生じた場合にも、最低限必要な情報の中継順番や、無線・有線通信併用可否を選択することのみで、ネットワーク形態の変更を行うことができる。また、設定変更の際には、従来のようにすべての各種パラメータをパソコンのキーボードを使用して手動で入力する必要がないため、短時間で誤入力の恐れのない設定を行うことができる。
【００３７】
このように本発明に係る無線ＬＡＮ接続設定システムを使用することにより、基地局及び中継局の中継順番決定、無線・有線通信併用可否を選択のみを設定することにより、短時間で簡単に専門知識が不要でネットワークの再構築を実施することが可能となり、通信障害の発生し難いネットワークを構築することが可能となった。
【００３８】
なお、基地局や中継局の使用台数は上述の例に限定されることなく、場所の規模や障害物の状況などにより増減することができる。また、データベース作成や設定情報の一斉配信・設置に使用する機器は、パソコンに限定されることなく、携帯情報端末（ＰＤＡ）や無線ＬＡＮ通信機能を有する携帯電話でも設定リストによる変更情報を対象機器に対して一斉送信するソフトウェアがインストールされていれば利用することが可能である。以上のように、本発明によれば利用者が自身で使用する無線ＬＡＮ機器に対し、十分な知識と操作方法をすべて熟知していなくとも、誤った設定によりネットワークが通信不能に陥る恐れを排除し、管理者や利用者の負担を軽減し、かつ設定変更に要する時間短縮を図ることを可能とした。
【産業上の利用可能性】
【００３９】
本発明は、工事現場などに複数の中継局を備えた無線ＬＡＮシステムを構築する際に利用可能である。
【符号の説明】
【００４０】
１１…基地局、１２…第１通信先、１３…第２通信先、１４…第１中継局、１５、３６…建築物、１６…第２中継局、１７…第３中継局、１８…基地局ルータ、１９…基地局アンテナ、２０…基地局電話機、２１、２２…カメラ、２３、２９、３１…パソコン、２４、３０…無線電話機、２５…作業監督者、２６、２７…作業者、２８…通信データ、３２…資材、３３…作業現場、３４、３７…設定リスト、３５…建屋。
【図１】
2010273010.tif 000003
【図２】
2010273010.tif 000004
【図３】
2010273010.tif 000005
【図４】
2010273010.tif 000006
【図５】
2010273010.tif 000007
【図６】
2010273010.tif 000008
【図７】
2010273010.tif 000009
【図８】
2010273010.tif 000010
【図９】
2010273010.tif 000011